(57)【要約】【課題】高い寸法精度を必要とせずに、物品をしっかり保持することができる保持具を提供することと、物品を簡単に収納できる包装容器を提供することである。【解決手段】可撓性を有する一対の板状部材２０ａ，２０ｂを対向させるとともに、これら板状部材の周囲を互いに接続する一方、上記板状部材に設けた孔１２，１３と、この孔１２，１３を覆う弾性を有する保持膜１４，１５と、上記一対の板状部材２０ａ，２０ｂの周囲に設けた１または複数の開口部１８，１９と、この開口部１８，１９に設けた一対の折り曲げ片２１ａ，２２ａ，２１ｂ，２２ｂとを備え、上記開口部１８，１９から板状部材２０ａ，２０ｂ間に物品Ａを入れるとともに、この物品を保持膜１４，１５の張力によって保持する一方、上記一対の折り曲げ片２１ａ，２２ａ，２１ｂ，２２ｂを折り曲げると、開口部１８，１９のたわみが規制されて、開口部１８，１９の間隔が一定に維持される。【選択図】  図７
2004182313.tif 000002
【特許請求の範囲】
【請求項１】
可撓性を有する一対の板状部材を対向させるとともに、これら板状部材の周囲を互いに接続する一方、上記板状部材に設けた孔と、この孔を覆う弾性を有する保持膜と、上記一対の板状部材の周囲に設けた１または複数の開口部と、この開口部に設けた一対の折り曲げ片とを備え、上記開口部から板状部材間に物品を入れるとともに、この物品を保持膜の張力によって保持する一方、上記一対の折り曲げ片を折り曲げると、開口部のたわみが規制されて、開口部の間隔が一定に維持される構成にした保持具。
【請求項２】
保持膜を透明あるいは半透明にしたことを特徴とする請求項１記載の保持具。
【請求項３】
請求項１または２に記載の保持具を、箱体に収納するとともに、この箱体の内壁によって、保持具を構成する板状部材および折り曲げ片をガイドする構成にした包装容器。
【請求項４】
箱体に窓孔を備え、この箱体に収納した保持具の孔が、箱体の窓孔に対向する構成にしたことを特徴とする請求項３記載の包装容器。
【発明の詳細な説明】
【０００１】
【発明の属する技術分野】
この発明は、弾性膜の張力を利用して、物品を保持する保持具およびこの保持具を用いた包装容器に関する。
【０００２】
【従来の技術】
弾性膜の張力を利用して、物品を保持する包装容器として、例えば特許文献１に示すものが従来から知られている。
この従来の包装容器は、図１５に示すように、収容部材ａと蓋部材ｂとからなり、収容部材ａには凹部１を形成し、蓋部材ｂにも凹部２を形成している。そして、これら凹部１の開口部および凹部２の開口部に、それぞれ伸縮可能な弾性膜３，４を張り渡している。
【０００３】
また、上記収容部材ａは、その凹部１の外周に、溝５を形成している。そして、図１６に示すように、蓋部材ｂの縁６を上記溝５にはめ込むと、そのはめ込んだ分だけ弾性膜３，４が引っ張られるために、弾性膜３，４の張りが確保される。このように張りを確保した状態で、弾性膜３，４の間に物品ｃを挟み込むようにしている。
このように弾性膜３，４によって物品ｃを挟み込むと、物品ｃの厚みの分だけさらに弾性膜３，４が引っ張られる。そして、この弾性膜３，４の張力によって、物品ｃがしっかり保持されることになる。このように弾性膜３，４の張力を利用して物品ｃを保持することで、外部からの衝撃が、物品ｃに直接作用しないようにしている。
【０００４】
【特許文献１】
特許第３０７８５３６号公報（第２頁、図５）
【０００５】
【発明が解決しようとする課題】
上記従来例では、弾性膜３，４の張りを確保するために、収容部材ａ側の溝５に蓋部材ｂの縁６をはめ込む構成にしているが、これら両者の寸法というのは、高い精度で管理する必要がある。なぜなら、少しでも寸法に狂いがあると、溝５に縁６をはめ込むことができず、物品ｃをしっかり保持させることができなくなるからである。
しかし、このように寸法精度を高く維持すると、その分、製造コストがかかるため、製品単価も高くなるという不都合があった。
【０００６】
一方、上記のように溝５と縁６との寸法が厳密に管理されていると、縁６を溝５にはめ込む作業にも手間がかかり、物品ｃを収納する作業に手間がかかるという不都合もあった。
この発明の目的は、高い寸法精度を必要とせずに、物品をしっかり保持することができる保持具を提供することと、物品を簡単に収納することのできる上記保持具を用いた包装容器を提供することである。
【０００７】
【課題を解決するための手段】
第１の発明は、可撓性を有する一対の板状部材を対向させるとともに、これら板状部材の周囲を互いに接続する一方、上記板状部材に設けた孔と、この孔を覆う弾性を有する保持膜と、上記一対の板状部材の周囲に設けた１または複数の開口部と、この開口部に設けた一対の折り曲げ片とを備え、上記開口部から板状部材間に物品を入れるとともに、この物品を保持膜の張力によって保持する一方、上記一対の折り曲げ片を折り曲げると、開口部のたわみが規制されて、開口部の間隔が一定に維持される構成にしたことを特徴とする。
【０００８】
第２の発明は、上記第１の発明において、保持膜を透明あるいは半透明にしたことを特徴とする。
【０００９】
第３の発明は、上記第１の発明または第２の発明に記載された保持具を、箱体に収納するとともに、この箱体の内壁によって、保持具を構成する板状部材および折り曲げ片をガイドする構成にしたことを特徴とする。
【００１０】
第４の発明は、上記第３の発明において、箱体に窓孔を備え、この箱体に収納した保持具の孔が、箱体の窓孔に対向する構成にしたことを特徴とする。
【００１１】
【発明の実施の形態】
図１〜図１０にこの発明の第１実施形態を示す。
図１に示すように、窓孔１０，１１を有する箱体Ｂ内には、物品Ａを収納している。この物品Ａは、図２に示す保持具Ｈに保持させている。
上記保持具Ｈは、図３に示すように、孔１２，１３を有する厚紙製の板状部材２０と、孔１２，１３を覆う透明で弾性を有する保持膜１４，１５とからなり、ライン１６の部分で二つ折りにすることによって、板状部材２０の下側半分２０ａと上側半分２０ｂとを対向させるようにしている。そして、図４に示すように、上側半分２０ｂに設けた連結片１７を折り曲げることによって、それを下側半分２０ａに接着している。
【００１２】
上記のようにした保持具Ｈは、図中左右の対向面を接続せずに、そこを開口部１８，１９としている。そして、一方の開口部１８側に、一対の折り曲げ片２１ａ，２２ａを設け、他方の開口部１９側にも、一対の折り曲げ片２１ｂ，２２ｂを設けている。そして、これら折り曲げ片２１ａ，２１ｂ，２２ａ，２２ｂは、それぞれ折り曲げライン３１ａ，３１ｂ，３２ａ，３２ｂの位置において、折り曲げることができるようにしている。
また、上記のように板状部材２０を二つ折りにしてその下側半分２０ａと上側半分２０ｂとを対向させると、孔１２と孔１３とが一致するようにしている。
【００１３】
上記のようにした保持具Ｈは、厚紙製であるために可撓性を有している。したがって、図５に示すように、板状部材２０の下側半分２０ａと上側半分２０ｂとをたわませることができ、このようにたわませることによって、開口部１８，１９の隙間を広げることができる。そして、このように開口部１８，１９の隙間を広げると、板状部材２０の下側半分２０ａと上側半分２０ｂとの間にスペースが形成される。このスペースが、物品を収納するための収納部であり、この収納部には、開口部１８または開口部１９を介して物品を入れるようにしている。
【００１４】
図６は、上記収納部Ｓに物品Ａを入れた状態の断面図である。図示するように、収納部Ｓに物品Ａを入れると、その物品Ａの厚みによって保持膜１４，１５が引っ張られる。そのため、物品Ａは、その両側から保持膜１４，１５によって挟み付けられる。
ただし、板状部材２０が可撓性を有しているために、このままの状態だと、板状部材２０がたわみ、開口部１８，１９も開いてしまう。開口部１８，１９が開いてしまうと、保持膜１４，１５の張りも保てないので、物品Ａをしっかり保持することができない。
【００１５】
そこで、上記のように収納部Ｓに物品Ａを入れたら、図７に示すように、折り曲げ片２１ａ，２２ａおよび２１ｂ，２２ｂを、互いに離れる方向に折り曲げる。折り曲げ片２１ａ，２２ａ、２１ｂ，２２ｂを折り曲げると、図８に示すように、折り曲げライン３１ａ，３１ｂ，３２ａ，３２ｂのたわみがなくなって、その部分が直線状になる。折り曲げライン３１ａ，３１ｂ，３２ａ，３２ｂが直線状になれば、図８に示すように、開口部１８，１９の隙間が最小になる。つまり、開口部１８，１９が閉じた状態になる。
【００１６】
上記のように開口部１８，１９を閉じると、保持膜１４，１５の両端が互いに近づく方向に引っ張られるため、これら保持膜１４，１５間にある物品Ａが、その両側から挟み付けられる。つまり、折り曲げ片２１ａ，２２ａおよび２１ｂ，２２ｂを折り曲げると、保持膜１４，１５の張力によって、物品Ａが保持されるようにしている。そして、このように物品Ａを保持する保持膜１４，１５の張力すなわち張りとういうのは、開口部１８，１９を塞ぐことによって維持されている。したがって、開口部１８，１９を開かない限り、物品Ａを保持した状態に保ち、この物品Ａの移動を規制することができる。また、開口部１８，１９が閉じている限り、物品Ａが収納部Ｓから外に出ることもない。
【００１７】
上記のように折り曲げ片２１ａ，２２ａ，２１ｂ，２２ｂを９０度に折り曲げて保持状態にした保持具Ｈを、図１に示したように箱体Ｂに収納する。この箱体Ｂは、図９，図１０に示すように、その内側の長さＬ１，幅Ｗ１、及び高さＨ１を、開口部１８，１９を閉じた状態の保持具Ｈの長さＬ２、幅Ｗ２、及び高さＨ２とほぼ同じに大きさにそれぞれ設定している。したがって、保持具Ｈを箱体Ｂに収納することによって、この保持具Ｈの開口部１８，１９が閉じた状態に維持される。つまり、箱体Ｂ内においても、保持具Ｈ内の物品Ａは、保持膜１４，１５の張力によって所定の位置に保たれている。
【００１８】
また、箱体Ｂに収納した保持具Ｈは、この箱体Ｂ内の移動を規制されているが、保持具Ｈに収納した物品Ａは、弾性を有する保持膜１４，１５によって弾性的に保持されているので、外部からの振動などが作用しても、その振動が緩和されて物品Ａに伝達される。つまり、クッション材などを用いなくても、保持膜１４，１５がクッション材として機能する。そのため、物品Ａがガラスなどの割れ物であっても、外部からの衝撃に耐えることができる。
【００１９】
また、箱体Ｂに保持具Ｈが収納された状態において、保持具Ｈに形成した孔１２，１３が、箱体Ｂに形成した窓孔１０，１１にそれぞれ対向するように設定している。したがって、図１に示したように、保持具Ｈを箱体Ｂ内に収納した状態でも、窓孔１０，１１を介して外から物品Ａを見ることができる。つまり、この収納容器は、ディスプレイとしての機能も有している。
【００２０】
以上のように、この第１実施形態によれば、開口部１８または１９から物品Ａを収納部Ｓに入れた状態で、折り曲げ片２１ａ，２２ａ，２１ｂ，２２ｂを折り曲げるだけで、保持膜１４，１５の張りを保つことができる。そのため、簡単な作業で、物品Ａをしっかり保持することができ、溝に縁をわざわざはめ込まなければならない前記従来例に比べて、物品を簡単に収納することができる。
また、折り曲げ片２１ａ，２２ａ，２１ｂ，２２ｂをまっすぐの状態に戻すだけで、開口部１８，１９が広がるので、物品Ａの取り出しも簡単である。
さらに、この実施形態では、前記従来例のような嵌合構造がないので、寸法精度を高く管理する必要性がなく、その分、製造コストを安くすることができる。
【００２１】
ところで、上記実施形態では、二枚の保持膜１４，１５によって物品Ａを両側から挟み込んで保持するようにしているが、図１１に示すように、一枚の保持膜１４によって物品Ａを板状部材２０に押しつけるようにしてもよい。このようにすれば、一枚の保持膜１４だけでも、物品Ａを保持することができる。
また、上記実施形態では、開口部を二カ所設けているが、図１２に示すように、開口部１８を一カ所にしてもよい。そして、図１３に示すように、折り曲げ片２１ａ，２２ａを折り曲げた状態で立てることにより、物品を陳列するディスプレイ器具としても用いることができる。
さらに、図１４に示すように、折り曲げ片２１ａ，２２ａを台座として用いれば、保持具全体の向きを変えて設置することもできる。
【００２２】
なお、折り曲げ片２１ａ，２２ａ，２１ｂ，２２ｂを折り曲げると、折り曲げライン３１ａ，３１ｂ，３２ａ，３２ｂががたわみにくくなるのは、折り曲げることによって折り曲げライン３１ａ，３１ｂ，３２ａ，３２ｂにおける断面二次モーメントが増加するからである。この断面二次モーメントは、曲げこわさに比例するものであり、折り曲げ片を曲げる角度によって変化するが、９０度に折り曲げたときに最大になる。
したがって、この実施形態のように、折り曲げ片２１ａ，２２ａ，２１ｂ，２２ｂを直角に折り曲げた場合には、折り曲げライン３１ａ，３１ｂ，３２ａ，３２ｂがもっともたわみにくくなる。そして、このように折り曲げライン３１ａ，３１ｂ，３２ａ，３２ｂがたわみにくいということは、保持膜１４，１５の張力も強くなるので、その分、強い保持力を得ることができる。なお、この実施形態では、一対の折り曲げ片２１ａ，２２ａ，２１ｂ，２２ｂを互いに離れる方向に９０度に折り曲げているが、一対の折り曲げ片を同じ方向に折り曲げてもよく、また、その折り曲げる角度は９０度より大きくても小さくてもよい。
【００２３】
一方、上記実施形態では、保持膜１４，１５の有する弾性を利用して、物品Ａを保持しているので、保持する物品の形状を問わない。そして、このように物品の形状を問わないので、保持するときの物品の姿勢も自由に選択することができる。
【００２４】
なお、上記実施形態では、板状部材２０として厚紙を用いているが、厚紙の代わりに、可撓性を有する樹脂などを用いてもよい。つまり、板状部材は、可撓性を有するものであれば、その材質は問わない。
また、この実施形態では、保持膜として透明なものを用いているが、この透明の保持膜は、無色透明でも有色透明でもよい。また、半透明の素材を保持膜として用いてもよい。そして、ディスプレイとしての機能を必要としない場合には、保持膜は不透明なものであってもよい。
【００２５】
【発明の効果】
第１の発明によれば、開口部から板状部材間に物品を入れてから、一対の折り曲げ片を折り曲げることで保持膜の張りを保ち、物品をしっかり保持する構成にしたので、溝に縁をはめ込む必要性のあった前記従来例に比べて、物品を簡単に収納することができる。
また、第１の発明によれば、前記従来例のようなはめ込み構造がないので、寸法精度を高く管理する必要性がなく、その分、製造コストを安くすることができる。
【００２６】
第２の発明によれば、保持膜を透明あるいは半透明にしたので、保持している物品を、孔を介して外部から確認することができる。
【００２７】
第３の発明によれば、箱体に保持具を収納することによって、保持具の開口部を閉じた状態に保つことができる。
【００２８】
第４の発明によれば、箱体に設けた窓孔と、この箱体に収納した保持具の孔とを対向する構成にしたので、窓孔を介して外部から保持している物品を確認することができる。
【図面の簡単な説明】
【図１】実施形態の斜視図である。
【図２】実施形態の組み込む状態を示す斜視図である。
【図３】保持具の展開図である。
【図４】保持具Ｈの斜視図である。
【図５】開口部１８，１９を広げた状態の保持具Ｈの斜視図である。
【図６】物品Ａを収納した状態を示す保持具Ｈの断面図である。
【図７】物品Ａを収納した状態の保持具Ｈの斜視図である。
【図８】開口部１８，１９を閉じた状態を示す保持具Ｈの断面図である。
【図９】保持具Ｈを箱体Ｂに収納した状態を示す断面図である。
【図１０】保持具Ｈを箱体Ｂに収納した状態を示す断面図である。
【図１１】他の保持具Ｈを示す断面図である。
【図１２】他の保持具Ｈを示す断面図である。
【図１３】他の保持具の斜視図である。
【図１４】他の保持具の斜視図である。
【図１５】従来例の組立前の状態を示す断面図である。
【図１６】従来例の組み付け状態を示す断面図である。
【符号の説明】
１０，１１  窓孔
１２，１３  孔
１４，１５  保持膜
１８，１９  開口部
２０  板状部材
２１ａ、２２ａ  折り曲げ片
２１ｂ，２２ｂ  折り曲げ片
Ａ  物品
Ｂ  箱体
Ｈ  保持具
【図１】
2004182313.tif 000003
【図２】
2004182313.tif 000004
【図３】
2004182313.tif 000005
【図４】
2004182313.tif 000006
【図５】
2004182313.tif 000007
【図６】
2004182313.tif 000008
【図７】
2004182313.tif 000009
【図８】
2004182313.tif 000010
【図９】
2004182313.tif 000011
【図１０】
2004182313.tif 000012
【図１１】
2004182313.tif 000013
【図１２】
2004182313.tif 000014
【図１３】
2004182313.tif 000015
【図１４】
2004182313.tif 000016
【図１５】
2004182313.tif 000017
【図１６】
2004182313.tif 000018